(57)【要約】【課題】封印機構の切断痕跡の発見漏れを低減でき、不正行為を低減できる遊技機を提供する。【解決手段】基板ボックス２６３の封印ユニット２７０は、複数個の封印構成部２７１の一に装着されることで基板ボックス２６３の開封を抑止する封印蓋２７５と、それが装着された封印構成部２７１についての封印を解除する場合に切断される被対象箇所に設けられたインクカプセル２８０と、このインクカプセル２８０から流出した液体が封印蓋２７５に伝う隙間流路部（第１凹凸部と第２凹凸部２９７との咬合隙間および封印蓋２７５の挿入板部２７８とインクカプセル２８０との隙間）とを備え、前記被対象箇所を切断することでインクカプセル２８０から液体が流出して前記隙間流路部を伝って封印蓋２７５に付着するので、一度も封印解除されていない基板ボックス２６３に、液体付着した封印蓋２７５が使用されていることから不正行為を発見できる。【選択図】図２６
2008161348.tif 000002
【特許請求の範囲】
【請求項１】
遊技球の打ち込まれる遊技領域が形成される遊技盤を備えた遊技機において、
前記遊技盤は、その裏面側に、所定の遊技に関する制御を行う制御基板を有する基板ユニットを備え、
前記基板ユニットは、前記制御基板を内部に収容する基板ケースと、前記基板ケースを開封不能に封印し、かつ、開封された場合に痕跡が残る封印手段とを備え、
前記封印手段は、
前記基板ケースに形成された複数回分の封印を目的とする複数個の封印部と、
前記複数個の封印部のいずれにも装着可能で、前記複数個の封印部のうちの一つに装着される封印部材と、
前記封印部材の装着された前記封印部についての封印を解除する場合に切断される箇所である被対象箇所に設けられた、有色または流出後に有色化する所定の液体を収容した液体収容体と、
前記液体収容体から流出した液体が前記封印部材に伝う隙間流路部と、
を備え、
前記封印部材は、前記封印部に装着された状態で当該封印部に係止する係止爪を備え、前記封印部への装着は許容されているが、前記封印部からの取り外しが前記係止爪により不可となっているものであり、
さらに、前記封印手段は、前記封印部材の装着されている前記封印部の被対象箇所を切断することで、当該封印が解除されるとともに、前記液体収容体も切断されて当該液体収容体から液体が流出して前記隙間流路部を伝って前記封印部材に付着し、その液体の付着した当該封印部材がその封印部から取り外し可能となるものである
ことを特徴とする遊技機。
【請求項２】
遊技球の打ち込まれる遊技領域が形成される遊技盤を備えた遊技機において、
前記遊技盤は、その裏面側に、所定の遊技に関する制御を行う制御基板を有する基板ユニットを備え、
前記基板ユニットは、前記制御基板を内部に収容する基板ケースと、前記基板ケースを開封不能に封印し、かつ、開封された場合に痕跡が残る封印手段とを備え、
前記封印手段は、
前記基板ケースに形成された複数回分の封印を目的とする複数個の封印部と、
前記複数個の封印部のいずれにも装着可能で、前記複数個の封印部のうちの一つに装着される封印部材と、
前記封印部材の装着された前記封印部についての封印を解除する場合に切断される箇所である被対象箇所に設けられた、有色または流出後に有色化する所定の液体を収容した液体収容体と、
を備え、
前記封印部材は、前記封印部に装着された状態で当該封印部に係止する係止爪を備え、前記封印部への装着は許容されているが、前記被対象箇所の切断前においては前記封印部からの取り外しが前記係止爪により不可となっているものであり、かつ、前記封印部への装着または前記封印部からの取り外しの際に破壊される被破壊部を備え、
さらに、前記封印手段は、前記封印部材の装着されている前記封印部の被対象箇所を切断することで、当該封印が解除されるとともに、前記液体収容体も切断されて当該液体収容体から液体が流出して当該封印手段に付着し、前記封印部材の前記封印部への装着または前記封印部からの取り外しの際に前記被破壊部が破壊されて当該封印部材がその封印部から取り外し可能となるものである
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、遊技盤は、その裏面側に基板ユニットを備えている。この基板ユニットは、遊技を制御する制御基板と、この制御基板を内部空間に収容する上，下ケースと、この上，下ケースを封印する封印機構とを備えている。
【０００４】
また、上，下ケースと封印機構とは、制御基板を外部から視認できるように透明樹脂部材で形成されている。また、封印機構による封印を解除する際には、当該封印機構の所定箇所を切断することでその封印が解除され、その切断痕跡が残るようにしている（例えば、特許文献１参照）。
【特許文献１】特開２００５−７４２１７号公報（第１０−１２頁，第３−５図）
【発明の開示】
【発明が解決しようとする課題】
【０００５】
しかしながら、このような構成を有する従来例の場合には、次のような問題がある。
すなわち、従来のパチンコ機では、例えば、封印機構の所定箇所が不正に切断された場合に、その切断痕跡を見逃すおそれがある。
【０００６】
また、前記の封印機構は、上，下ケースに形成された封印部と、その封印部に装着される封印部材とを備え、封印部材が封印部に装着されることで上，下ケースの開封が不可となり、当該封印後は封印部の所定箇所を破壊しない限り封印部材が取り外し不可となっているが、前記ケースと外観上同一の不正ケースを模造し、遊技店（ホール）から撤去されたパチンコ機などから未使用の封印部材を取り出し、不正な制御基板を収容した模造ケースと前記撤去台などから取り出した未使用の封印部材とを組み合わせた不正品にすり替えられて使用されて不正な利益を得ようとする不正行為が問題となる。
【０００７】
本発明は、このような事情に鑑みてなされたものであって、封印機構の切断痕跡の発見漏れを低減でき、不正行為を低減できる遊技機を提供することを目的とする。
【課題を解決するための手段】
【０００８】
この発明は、このような目的を達成するために、次のような構成をとる。
すなわち、請求項１に記載の発明は、
遊技球の打ち込まれる遊技領域が形成される遊技盤を備えた遊技機において、
前記遊技盤は、その裏面側に、所定の遊技に関する制御を行う制御基板を有する基板ユニットを備え、
前記基板ユニットは、前記制御基板を内部に収容する基板ケースと、前記基板ケースを開封不能に封印し、かつ、開封された場合に痕跡が残る封印手段とを備え、
前記封印手段は、
前記基板ケースに形成された複数回分の封印を目的とする複数個の封印部と、
前記複数個の封印部のいずれにも装着可能で、前記複数個の封印部のうちの一つに装着される封印部材と、
前記封印部材の装着された前記封印部についての封印を解除する場合に切断される箇所である被対象箇所に設けられた、有色または流出後に有色化する所定の液体を収容した液体収容体と、
前記液体収容体から流出した液体が前記封印部材に伝う隙間流路部と、
を備え、
前記封印部材は、前記封印部に装着された状態で当該封印部に係止する係止爪を備え、前記封印部への装着は許容されているが、前記封印部からの取り外しが前記係止爪により不可となっているものであり、
さらに、前記封印手段は、前記封印部材の装着されている前記封印部の被対象箇所を切断することで、当該封印が解除されるとともに、前記液体収容体も切断されて当該液体収容体から液体が流出して前記隙間流路部を伝って前記封印部材に付着し、その液体の付着した当該封印部材がその封印部から取り外し可能となるものである
ことを特徴とするものである。
【０００９】
［作用・効果］請求項１に記載の発明によれば、遊技機は、遊技球の打ち込まれる遊技領域が形成される遊技盤を備えている。遊技盤は、その裏面側に基板ユニットを備えている。この基板ユニットは、所定の遊技に関する制御を行う制御基板と、この制御基板を内部に収容する基板ケースと、この基板ケースを開封不能に封印する封印手段とを備えている。封印手段は、封印部と封印部材と液体収容体と隙間流路部とを備えている。封印部は、複数回分の封印を目的として基板ケースに複数個形成されている。封印部材は、複数個の封印部のいずれにも装着可能であり、複数個の封印部のうちの一つに装着される。液体収容体は、有色または流出後に有色化する所定の液体を収容しており、封印部材の装着された封印部についての封印を解除する場合に切断される箇所である被対象箇所に設けられている。液体収容体から流出した液体は、隙間流路部を介して封印部材に伝う。封印部材は、封印部に装着された状態で当該封印部に係止する係止爪を備えている。封印部材は、封印部への装着は許容されているが、印部からの取り外しが係止爪により不可となっている。さらに、封印手段は、封印部材の装着されている封印部の被対象箇所を切断することで、当該封印が解除されるとともに、液体収容体も切断されて当該液体収容体から液体が流出して隙間流路部を伝って封印部材に付着し、その液体の付着した当該封印部材がその封印部から取り外し可能となる。
【００１０】
したがって、封印手段（封印機構）の切断箇所（つまり、被対象箇所を切断した後の箇所）に有色液体（有色化した液体を含む）が付着し、その切断箇所が目立ち、不正に切断された場合にその痕跡を見逃すことを低減できる。つまり、封印手段（封印機構）の切断痕跡の発見漏れを低減できる遊技機を提供することができる。
【００１１】
また、液体収容体から流出した液体は、封印手段の切断箇所に付着するだけでなく、隙間流路部を伝って封印部材にも付着するので、その液体付着した封印部材が封印部から取り外されて一度も封印解除されていない基板ケースに使用されている場合には、液体付着した封印部材が使用されていることを根拠に不正行為を発見できる。つまり、一度も封印解除されていない基板ケースには、液体付着していない封印部材が本来使用されている筈であることに対して、液体付着した封印部材が使用されていることが不自然である。よって、不正な制御基板を収容した模造ケースと、撤去台などから取り出した未使用の封印部材とを組み合わせた不正品へのすり替えを、その不自然さを根拠に発見でき、すり替え使用などの不正行為を低減できる。
【００１２】
その結果、封印手段（封印機構）の切断痕跡の発見漏れを低減でき、不正行為を低減できる遊技機を提供することができる。
【００１３】
なお、本明細書で言う「流出後に有色化する液体」とは、液体収容体から液体が流出する際または流出後に、空気などの気体や他の液体との化学反応等によって、無色から有色化あるいはある色から他の色に変化する液体を含む。また、本明細書で言う「封印部材」としては、複数個の封印部のいずれにも装着可能であり、複数個の封印部のうちの一つに装着されることで基板ケースの開封を抑止するものや、複数個の封印部のいずれにも装着可能であり、複数個の封印部のうちの一つに装着されるが、基板ケースの開封を物理的あるいは機構的に抑止しないもの（例えば、液体付着用部材：基板ケースの開封の際に液体収容体から流出した液体が付着することを主として目的とするもの）なども挙げられる。
【００１４】
また、請求項２に記載の発明は、
遊技球の打ち込まれる遊技領域が形成される遊技盤を備えた遊技機において、
前記遊技盤は、その裏面側に、所定の遊技に関する制御を行う制御基板を有する基板ユニットを備え、
前記基板ユニットは、前記制御基板を内部に収容する基板ケースと、前記基板ケースを開封不能に封印し、かつ、開封された場合に痕跡が残る封印手段とを備え、
前記封印手段は、
前記基板ケースに形成された複数回分の封印を目的とする複数個の封印部と、
前記複数個の封印部のいずれにも装着可能で、前記複数個の封印部のうちの一つに装着される封印部材と、
前記封印部材の装着された前記封印部についての封印を解除する場合に切断される箇所である被対象箇所に設けられた、有色または流出後に有色化する所定の液体を収容した液体収容体と、
を備え、
前記封印部材は、前記封印部に装着された状態で当該封印部に係止する係止爪を備え、前記封印部への装着は許容されているが、前記被対象箇所の切断前においては前記封印部からの取り外しが前記係止爪により不可となっているものであり、かつ、前記封印部への装着または前記封印部からの取り外しの際に破壊される被破壊部を備え、
さらに、前記封印手段は、前記封印部材の装着されている前記封印部の被対象箇所を切断することで、当該封印が解除されるとともに、前記液体収容体も切断されて当該液体収容体から液体が流出して当該封印手段に付着し、前記封印部材の前記封印部への装着または前記封印部からの取り外しの際に前記被破壊部が破壊されて当該封印部材がその封印部から取り外し可能となるものである
ことを特徴とする遊技機。
【００１５】
［作用・効果］請求項２に記載の発明によれば、遊技機は、遊技球の打ち込まれる遊技領域が形成される遊技盤を備えている。遊技盤は、その裏面側に基板ユニットを備えている。この基板ユニットは、所定の遊技に関する制御を行う制御基板と、この制御基板を内部に収容する基板ケースと、この基板ケースを開封不能に封印する封印手段とを備えている。封印手段は、封印部と封印部材と液体収容体とを備えている。封印部は、複数回分の封印を目的として基板ケースに複数個形成されている。封印部材は、複数個の封印部のいずれにも装着可能であり、複数個の封印部のうちの一つに装着される。液体収容体は、有色または流出後に有色化する所定の液体を収容しており、封印部材の装着された封印部についての封印を解除する場合に切断される箇所である被対象箇所に設けられている。封印部材は、封印部に装着された状態で当該封印部に係止する係止爪を備え、封印部への装着は許容されているが、被対象箇所の切断前においては封印部からの取り外しが係止爪により不可となっているものであり、かつ、封印部への装着または封印部からの取り外しの際に破壊される被破壊部を備えている。さらに、封印手段は、封印部材の装着されている封印部の被対象箇所を切断することで、当該封印が解除されるとともに、液体収容体も切断されて当該液体収容体から液体が流出して当該封印手段に付着し、封印部材の封印部への装着または封印部からの取り外しの際に被破壊部が破壊されて当該封印部材がその封印部から取り外し可能となる。
【００１６】
したがって、封印手段（封印機構）の切断箇所（つまり、被対象箇所を切断した後の箇所）に有色液体（有色化した液体を含む）が付着し、その切断箇所が目立ち、不正に切断された場合にその痕跡を見逃すことを低減できる。つまり、封印手段（封印機構）の切断痕跡の発見漏れを低減できる遊技機を提供することができる。
【００１７】
また、封印部材の被破壊部は、封印部への装着または封印部からの取り外しの際に破壊され、当該封印部材がその封印部から取り外し可能となるので、封印部への装着または封印部から取り外す際に被破壊部が破壊された封印部材を、一度も封印解除されていない基板ケースに使用されている場合には、被破壊部が破壊された封印部材を使用していることを根拠に不正行為を発見できる。つまり、一度も封印解除されていない基板ケースには、被破壊部の破壊されていない封印部材が本来使用されている筈であることに対して、被破壊部が破壊された封印部材が使用されていることが不自然である。よって、不正な制御基板を収容した模造ケースと、撤去台などから取り出した未使用の封印部材とを組み合わせた不正品へのすり替えを、その不自然さを根拠に発見でき、すり替え使用などの不正行為を低減できる。
【００１８】
その結果、封印手段（封印機構）の切断痕跡の発見漏れを低減でき、不正行為を低減できる遊技機を提供することができる。
【００１９】
なお、本明細書は、次のような遊技機に係る発明も開示している。
【００２０】
（１）  請求項１または請求項２に記載の遊技機において、
前記封印手段は、前記液体収容体の所定箇所を覆うように保持する透明な部材であって保持された前記液体収容体の周囲で所定方向に並べられた複数個の凹凸部からなる第１凹凸部を備えた保持部材を備え、
前記封印部は、前記第１凹凸部と咬合する複数個の凹凸部からなる第２凹凸部に前記第１凹凸部を咬合させて前記保持部材が取り付けられる被取付部を備え、
前記被取付部は、その少なくとも一部が前記被対象箇所に位置するように備えられており、
前記封印手段は、前記被対象箇所が切断されることで、当該封印が解除されるとともに、前記液体収容体も切断されて当該液体収容体から液体が流出して当該封印手段に付着するものである
ことを特徴とするものである。
【００２１】
前記（１）に記載の発明によれば、封印手段は、液体収容体の所定箇所を覆うように保持する透明な部材であって保持された液体収容体の周囲で所定方向に並べられた複数個の凹凸部からなる第１凹凸部を備えた保持部材を備えている。封印部は、第１凹凸部と咬合する複数個の凹凸部からなる第２凹凸部に第１凹凸部を咬合させて保持部材が取り付けられる被取付部を備えている。被取付部は、その少なくとも一部が被対象箇所（封印手段による封印を解除する場合に切断される箇所）に位置するように備えられている。そして、封印手段は、被対象箇所が切断されることで、当該封印が解除されるとともに、液体収容体も切断されてこの液体収容体から液体が流出して当該封印手段に付着する。
【００２２】
したがって、封印手段（封印機構）の切断箇所（つまり、被対象箇所を切断した後の箇所）に有色液体（有色化した液体を含む）が付着するだけでなく、その切断箇所またはその近傍箇所の第１凹凸部と第２凹凸部との咬合隙間に流出液体が浸入し、切断箇所よりも内部での第１凹凸部と第２凹凸部との咬合隙間にまで、その流出液体が毛細管現象のように広がって付着し、流出液体をその切断箇所だけでなく当該切断箇所から内部までわたって付着させることができ、より切断箇所を目立たすことができ、不正に切断された場合にその痕跡を見逃すことを低減できる。つまり、封印手段（封印機構）の切断痕跡の発見漏れを低減できる遊技機を提供することができる。
【００２３】
（２）  請求項１に記載の遊技機、または、前記（１）に記載の遊技機において、
前記封印手段は、前記液体収容体の所定箇所を覆うように保持する透明な保持部材を備え、
前記封印部は、前記保持部材が取り付けられる被取付部を備え、
前記被取付部は、その少なくとも一部が前記被対象箇所に位置するように備えられており、
前記保持部材は、前記液体収容体の所定箇所を間に挟むようにして組み合わされる第１部材および第２部材を備え、
前記第１部材は、前記液体収容体の周囲で所定方向に並べられた複数個の凹凸部からなる第１凹凸部を備え、
前記第２部材は、前記第１凹凸部と咬合する複数個の凹凸部からなる第２凹凸部を備え、
前記第１部材および前記第２部材は、前記液体収容体の所定箇所を間に挟み、かつ、前記第１凹凸部と前記第２凹凸部とを咬合させるようにして組み合わされており、
前記封印手段は、前記被対象箇所が切断されることで、当該封印が解除されるとともに、前記液体収容体も切断されて当該液体収容体から液体が流出して当該封印手段に付着するものである
ことを特徴とする遊技機。
【００２４】
前記（２）に記載の発明によれば、封印手段は、液体収容体の所定箇所を覆うように保持する透明な保持部材を備えている。封印部は、保持部材が取り付けられる被取付部を備えている。被取付部は、その少なくとも一部が被対象箇所（封印手段による封印を解除する場合に切断される箇所）に位置するように備えられている。保持部材は、液体収容体の所定箇所を間に挟むようにして組み合わされる第１部材および第２部材を備えている。第１部材は、液体収容体の周囲で所定方向に並べられた複数個の凹凸部からなる第１凹凸部を備えている。第２部材は、第１凹凸部と咬合する複数個の凹凸部からなる第２凹凸部を備えている。第１部材および第２部材は、液体収容体の所定箇所を間に挟み、かつ、第１凹凸部と前記第２凹凸部とを咬合させるようにして組み合わされている。封印手段は、被対象箇所が切断されることで、当該封印が解除されるとともに、液体収容体も切断されて当該液体収容体から液体が流出して当該封印手段に付着する。
【００２５】
したがって、第１部材の第１凹凸部と第２部材の第２凹凸部とを咬合させた状態で当該第１部材と第２部材との間に液体収容体を挟むという保持部材を採用した場合であっても、封印手段（封印機構）の切断箇所（つまり、被対象箇所を切断した後の箇所）に有色液体が付着するだけでなく、その切断箇所またはその近傍箇所の第１凹凸部と第２凹凸部との咬合隙間に流出液体が浸入し、切断箇所よりも内部での第１凹凸部と第２凹凸部との咬合隙間にまで、その流出液体が毛細管現象のように広がって付着し、流出液体をその切断箇所だけでなく当該切断箇所から内部までわたって付着させることができ、より切断箇所を目立たすことができ、不正に切断された場合にその痕跡を見逃すことを低減できる。つまり、封印手段（封印機構）の切断痕跡の発見漏れを低減できる遊技機を提供することができる。
【００２６】
（３）  前記（１）または（２）に記載の遊技機において、
前記保持部材は、前記液体収容体を保持した状態で前記封印手段に係止する係止部を備えている
ことを特徴とする遊技機。
【００２７】
前記（３）に記載の発明によれば、保持部材は、液体収容体を保持した状態で封印手段に係止する係止部を備えているので、液体収容体を保持した状態の保持部材を、封印手段に係止させる（つまり、取り付ける）ことができ、液体収容体を保持した状態の保持部材の取付操作が簡単である。
【００２８】
（４）  前記（１）から（３）のいずれか一つに記載の遊技機において、
前記保持部材は、前記液体収容体の所定箇所を覆う覆い部と、前記覆い部に設けられた、前記液体収容体を保持する保持部と、を備えている
ことを特徴とする遊技機。
【００２９】
前記（４）に記載の発明によれば、保持部材の覆い部は、液体収容体の所定箇所を覆う。この保持部材の保持部は、覆い部に設けられており、液体収容体を保持する。つまり、液体収容体は、保持部材の保持部で保持された状態となり、しかもこの保持部材の覆い部で所定箇所が覆われた状態となっている。したがって、液体収容体を、保持部材の保持部で保持し、かつ、その保持部材の覆い部で保持した状態で取り扱うことができ、液体収容体を封印手段に装着する等の際に、液体収容体を誤って破損させることを低減できる。
【００３０】
（５）  前記（４）に記載の遊技機において、
前記液体収容体は、内部空間に有色液体を収容密閉した筒状部材であり、
前記覆い部は、前記液体収容体の長手方向長さと同程度の長さかそれよりも長くした形状のものであり、
前記保持部は、前記液体収容体の外周所定箇所を保持するように、前記覆い部の短手方向の両側から前記液体収容体側に向けてそれぞれ延出された延出部を備えている
ことを特徴とする遊技機。
【００３１】
前記（５）に記載の発明によれば、液体収容体は、内部空間に有色液体を収容密閉した筒状部材である。覆い部は、液体収容体の長手方向長さと同程度の長さかそれよりも長くした形状となっている。保持部は、液体収容体の外周所定箇所を保持するように、覆い部の短手方向の両側から液体収容体側に向けてそれぞれ延出された延出部を備えている。したがって、筒状の液体収容体の長手方向を覆い部に沿わせるとともに、当該液体収容体の外周所定箇所を保持部の両延出部で保持するので、筒状の液体収容体をその長手方向にわたって保護することができ、液体収容体を保持部材に保持させた状態で封印手段に取り付けることができる。
【００３２】
（６）  前記（５）に記載の遊技機において、
前記覆い部は、その前記液体収容体と対向する面を見た状態で、前記液体収容体の長手方向長さと同程度の長さかそれよりも長く、かつ、前記液体収容体の胴幅と同程度かそれよりも大きい形状であり、
前記両延出部は、前記液体収容体の外周所定箇所を挟持するように、前記液体収容体の胴幅よりも僅かに小さい開口幅で設けられている
ことを特徴とする遊技機。
【００３３】
前記（６）に記載の発明によれば、覆い部は、その液体収容体と対向する面を見た状態で、液体収容体の長手方向長さと同程度の長さかそれよりも長く、かつ、液体収容体の胴幅と同程度かそれよりも大きい形状としている。両延出部は、液体収容体の外周所定箇所を挟持するように、液体収容体の胴幅よりも僅かに小さい開口幅で設けられている。したがって、覆い部の両延出部間に液体収容体の胴部を入れることで、その液体収容体の胴部が両延出部で挟持され、覆い部で液体収容体の長手方向が覆われるので、筒状の液体収容体をその長手方向にわたって保護することができ、液体収容体を保持部材に挟持させた状態で封印手段に取り付けることができる。
【００３４】
なお、本明細書で言う「液体収容体の胴幅よりも僅かに小さい開口幅」とは、液体収容体を破壊することなく挟持可能である、両延出部についての幅を意味するものである。
【００３５】
（７）  前記（５）に記載の遊技機において、
前記覆い部は、その前記液体収容体と対向する面を見た状態で、前記液体収容体の長手方向長さと同程度の長さかそれよりも長く、かつ、前記液体収容体の胴幅と同程度かそれよりも大きい形状であり、
前記両延出部は、その先端同士の間隔を前記液体収容体の胴幅よりも僅かに小さくし、かつ、当該先端以外の箇所を前記液体収容体の外周に当接または近接することで、前記液体収容体を保持する
ことを特徴とする遊技機。
【００３６】
前記（７）に記載の発明によれば、覆い部は、その液体収容体と対向する面を見た状態で、液体収容体の長手方向長さと同程度の長さかそれよりも長く、かつ、液体収容体の胴幅と同程度かそれよりも大きい形状としている。両延出部は、その先端同士の間隔を液体収容体の胴幅よりも僅かに小さくし、かつ、当該先端以外の箇所を液体収容体の外周に当接または近接することで、液体収容体を保持する。したがって、覆い部の両延出部の先端間から液体収容体の胴部を入れてしまえば、両延出部の先端間は液体収容体の胴幅よりも小さいので、その液体収容体が両延出部から外れないようにでき、覆い部で液体収容体の長手方向が覆われるので、筒状の液体収容体をその長手方向にわたって保護することができ、液体収容体を保持部材に保持させた状態で封印手段に取り付けることができる。
【００３７】
（８）  前記（４）から（７）のいずれか一つに記載の遊技機において、
前記基板ユニットは、第１ケースと第２ケースとを備え、前記第１ケースと前記第２ケースとを合わせた状態でのその内部空間に前記制御基板を収容し、
前記封印部は、前記第１ケースに設けられた第１封印部と、前記第２ケースに設けられた第２封印部とを備え、前記第１ケースと前記第２ケースとを合わせた状態で前記第１封印部と前記第２封印部とを封印部材で連結固定することで、前記第１ケースおよび前記第２ケースを開封不能に封印し、前記被対象箇所としての前記第１封印部または前記第２封印部の少なくとも一方の所定箇所を切断することで当該封印が解除されるものであり、
前記第１ケースと前記第２ケースとは、透明部材である
ことを特徴とする遊技機。
【００３８】
前記（８）に記載の発明によれば、基板ユニットは、第１ケースと第２ケースとを備え、この第１ケースと第２ケースとを合わせた状態でのその内部空間に制御基板を収容する。封印部は、第１ケースに設けられた第１封印部と、第２ケースに設けられた第２封印部とを備え、第１ケースと第２ケースとを合わせた状態で第１封印部と第２封印部とを封印部材で連結固定することで、第１ケースおよび第２ケースを開封不能に封印し、被対象箇所としての第１封印部または第２封印部の少なくとも一方の所定箇所を切断することで当該封印が解除されるものである。したがって、このような構成の基板ユニットであっても、被対象箇所の切断によって液体収容体（例えばインクカプセル）も切断されて、切断箇所に有色液体（有色化した液体を含む）が付着するだけでなく、その切断箇所またはその近傍箇所の第１凹凸部と第２凹凸部との咬合隙間に流出液体が浸入し、切断箇所よりも内部での第１凹凸部と第２凹凸部との咬合隙間にまで、その流出液体が毛細管現象のように広がって付着し、流出液体をその切断箇所だけでなく当該切断箇所から内部までわたって付着させることができ、より切断箇所を目立たすことができ、不正に切断された場合にその痕跡を見逃すことを低減できる。また、第１ケースと第２ケースとは透明部材としているので、その内部に収容された制御基板を目視確認できる。
【００３９】
（９）  前記（４）から（８）のいずれか一つに記載の遊技機において、
前記封印手段は、流出液体が前記制御基板に付着することを防ぐ防護壁を備えていることを特徴とする遊技機。
【００４０】
前記（９）に記載の発明によれば、封印手段は、流出液体が制御基板に付着することを防ぐ防護壁を備えている。したがって、封印手段の被対象箇所の切断によって液体収容体（例えばインクカプセル）が切断されて流出した液体は、防護壁で阻まれ、流出液体の制御基板への付着を防ぐことができる。
【００４１】
（１０）  前記（５）から（７）のいずれか一つに記載の遊技機において、
前記第１凹凸部は、前記覆い部の短手方向の両側に沿ってそれぞれ設けられ、かつ、前記覆い部から前記液体収容体側に向けて突出した凸部を間隔を空けて複数個形成することで凹凸形状としたものである
ことを特徴とする遊技機。
【００４２】
前記（１０）に記載の発明によれば、第１凹凸部は、覆い部の短手方向の両側に沿ってそれぞれ設けられ、かつ、覆い部から液体収容体側に向けて突出した凸部を間隔を空けて複数個形成することで凹凸形状としたものである。つまり、第１凹凸部は、液体収容体の幅方向の両側で、かつ、この液体収容体の長手方向に沿って設けられている。したがって、封印手段の被対象箇所を切断すると、その切断箇所に有色液体が付着するだけでなく、その切断箇所またはその近傍箇所の第１凹凸部と第２凹凸部との咬合隙間に流出液体が浸入し、切断箇所よりも内部で液体収容体の長手方向に沿った第１凹凸部と第２凹凸部との咬合隙間にまで、その流出液体が毛細管現象のように広がって付着し、流出液体をその切断箇所だけでなく当該切断箇所から内部までわたって付着させることができ、より切断箇所を目立たすことができ、不正に切断された場合にその痕跡を見逃すことを低減できる。
【００４３】
（１１）  前記（１０）に記載の遊技機において、
前記覆い部を前記液体収容体側から見た状態で、当該覆い部の短手方向の両側のうちで一方側の前記凸部をその他方側の前記凸部に対して当該覆い部の長手方向にずらした位置に形成している
ことを特徴とする遊技機。
【００４４】
前記（１１）に記載の発明によれば、覆い部を液体収容体側から見ると、覆い部の短手方向の両側のうちの一方側の凸部は、その他方側の凸部に対して覆い部の長手方向にずらした位置に形成されている。つまり、覆い部の短手方向から第１凹凸部を見た状態では、覆い部の両側での第１凹凸部および第２凹凸部の咬合隙間が覆い部の長手方向にずれた位置となっているために、より多くの咬合隙間を見ることができ、流出液体がこれらの咬合隙間に広がって付着した状態を見ることができ、より切断箇所を目立たすことができ、不正に切断された場合にその痕跡を見逃すことを低減できる。
【００４５】
（１２）  前記（１０）または（１１）に記載の遊技機において、
前記第１凹凸部の前記凸部は、前記覆い部を前記液体収容体側から見た状態で、四角形状であり、かつ、その四面のうちで外面および内面の二面が前記覆い部の短手方向の両側に平行な面または略平行な面であり、残り二面が前記覆い部の短手方向の両側に対して傾斜した傾斜面としている
ことを特徴とする遊技機。
【００４６】
前記（１２）に記載の発明によれば、第１凹凸部の凸部は、覆い部を液体収容体側から見ると、四角形状であり、かつ、その四面のうちで外面および内面の二面が覆い部の短手方向の両側に平行な面または略平行な面であり、残り二面が覆い部の短手方向の両側に対して傾斜した傾斜面としている。つまり、第１凹凸部は、覆い部の短手方向の両側に沿って二列設けられており、各列の複数個の凸部は、その凸部同士で近接する面が覆い部の短手方向の両側に対して傾斜した傾斜面となっていることから、第１凹凸部および第２凹凸部の咬合隙間が覆い部の短手方向の両側に対して傾斜した傾斜方向に形成されている。したがって、覆い部の短手方向から第１凹凸部を見た状態では、凸部の傾斜面の存在によって、覆い部の両側での第１凹凸部および第２凹凸部の咬合隙間を、当該隙間間隔以上の所定幅にわたって見ることができ、流出液体がこれらの咬合隙間に広がって付着した状態を見ることができ、より切断箇所を目立たすことができ、不正に切断された場合にその痕跡を見逃すことを低減できる。
【００４７】
（１３）  請求項１または請求項２に記載の遊技機、または、前記（１）から（１２）のいずれか一つに記載の遊技機において、
前記遊技機はパチンコ機であることを特徴とする遊技機。
【００４８】
前記（１３）に記載の遊技機によれば、封印手段（封印機構）の切断痕跡の発見漏れを低減でき、不正行為を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００４９】
（１４）  請求項１または請求項２に記載の遊技機、または、前記（１）から（１２）のいずれか一つに記載の遊技機において、
前記遊技機はスロットマシンであることを特徴とする遊技機。
【００５０】
前記（１４）に記載の遊技機によれば、封印手段（封印機構）の切断痕跡の発見漏れを低減でき、不正行為を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００５１】
（１５）  請求項１または請求項２に記載の遊技機、または、前記（１）から（１２）のいずれか一つに記載の遊技機において、
前記遊技機はパチンコ機とスロットマシンとを融合させたものであることを特徴とする遊技機。
【００５２】
前記（１５）に記載の遊技機によれば、封印手段（封印機構）の切断痕跡の発見漏れを低減でき、不正行為を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【発明の効果】
【００５３】
この発明に係る遊技機によれば、封印手段（封印機構）の切断箇所（つまり、被対象箇所を切断した後の箇所）に有色液体（有色化した液体を含む）が付着し、その切断箇所が目立ち、不正に切断された場合にその痕跡を見逃すことを低減できる。つまり、封印手段（封印機構）の切断痕跡の発見漏れを低減できる遊技機を提供することができる。また、液体収容体から流出した液体は、封印手段の切断箇所に付着するだけでなく、隙間流路部を伝って封印部材にも付着するので、その液体付着した封印部材が封印部から取り外されて一度も封印解除されていない基板ケースに使用されている場合には、液体付着した封印部材が使用されていることを根拠に不正行為を発見できる。つまり、一度も封印解除されていない基板ケースには、液体付着していない封印部材が本来使用されている筈であることに対して、液体付着した封印部材が使用されていることが不自然である。よって、不正な制御基板を収容した模造ケースと、撤去台などから取り出した未使用の封印部材とを組み合わせた不正品へのすり替えを、その不自然さを根拠に発見でき、すり替え使用などの不正行為を低減できる。その結果、封印手段（封印機構）の切断痕跡の発見漏れを低減でき、不正行為を低減できる遊技機を提供することができる。
【発明を実施するための最良の形態】
【００５４】
以下、パチンコ遊技機（以下、単に「パチンコ機」という）の各種の実施の形態を、図面に基づいて詳細に説明する。
【実施例１】
【００５５】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００５６】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００５７】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００５８】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００５９】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００６０】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００６１】
遊技盤３０（図２参照）は、その遊技領域３０ａを樹脂ベース（図示省略）の開口部に位置させるようにして当該樹脂ベースに着脱自在に取り付けられる。
【００６２】
ここで、もう少し詳細に前面枠セット１４について説明する。
【００６３】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００６４】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３とを備えている。
【００６５】
下皿ユニット１３は、図１に示すように、前面枠セット１４の最下部箇所に位置するように、ネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００６６】
上皿ユニット２１は、図１に示すように、前面枠セット１４の下部箇所（前述の下皿１５の上方位置）に位置するように、ネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００６７】
ガラス枠部２３は、図１に示すように、上皿ユニット２１の上側に形成された窓部１０１と、この窓部１０１の周囲に設けられた各種の電飾部とを備えている。
【００６８】
つまり、前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００６９】
加えて、前面枠セット１４は、図１に示すように、その前面側で窓部１０１の周囲（例えば、上箇所、左箇所、右箇所など）に各種の電飾部を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部及び右側電飾部がそれぞれに設けられ、窓部１０１の周縁でその上箇所（パチンコ機１０の最上部）には、同じくＬＥＤ等を内蔵した上側電飾部が設けられている。
【００７０】
本パチンコ機１０では、左側電飾部、右側電飾部および上側電飾部は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００７１】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７２】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００７３】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００７４】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００７５】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００７６】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００７７】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００７８】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００７９】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００８０】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００８１】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００８２】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００８３】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００８４】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム（図示省略）が位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００８５】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００８６】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００８７】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００８８】
従って、本実施の形態では、遊技領域３０ａの幅（左右方向の最大幅）は、４１８ｍｍであり、遊技領域３０ａの高さ（上下方向の最大幅）は、４４５ｍｍである。
【００８９】
なお、詳しい図面の開示は省略するが、遊技球発射装置３８には、前面枠セット１４側の球出口（上皿１９の最下流部より通じる球出口）から遊技球が１つずつ供給される。
【００９０】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（図示省略）に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００９１】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００９２】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００９３】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【００９４】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００９５】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００９６】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００９７】
第１制御基板ユニット２０１は、例えば略矩形状の取付台（図示省略）を有し、この取付台（図示省略）を遊技盤３０の裏面側から見た状態での手前側に主制御装置２６１が搭載され、この取付台（図示省略）の奥側（裏側）にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース２６５と該ボックスベース２６５の開口部を覆うボックスカバー２６７とを備えている。これらボックスベース２６５とボックスカバー２６７とは、後述する図６に示す封印ユニット２７０によって開封不能に連結され、これにより基板ボックス２６３が封印されている。
【００９８】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００９９】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１００】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【０１０１】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【０１０２】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１０３】
次に、裏パックユニット２０３の構成を説明する。裏パックユニット２０３は、図３に示すように、樹脂成形された裏パック３５１と遊技球の払出機構部３５２とを一体化したものである。
【０１０４】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１０５】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１０６】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１０７】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１０８】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１０９】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１１０】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１１１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１１２】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１１３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１１４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１１６】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１１７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１１８】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１１９】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１２０】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１２１】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１２２】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１２３】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１２４】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１２５】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１２６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１２８】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１２９】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１３０】
続いて、本実施例のパチンコ機１０のさらなる特徴部分について図６〜図１８を用いて説明する。
【０１３１】
図６は、基板ボックス２６３の正面左側視の斜視図である。図７は、基板ボックス２６３の正面右側視の斜視図である。図８は、基板ボックス２６３の裏面左側視の斜視図である。図９は、基板ボックス２６３の裏面右側視の斜視図である。図１０（ａ）〜（ｃ）は、基板ボックス２６３の平面図、左側面図、正面図である。図１１（ａ）〜（ｃ）は、封印ユニット２７０により基板ボックス２６３を開封不能に封印する様子を示す図である。図１２（ａ），（ｂ）は、基板ボックス２６３を閉じる様子を示す部分斜視図である。図１３（ａ），（ｂ）は、封印ユニット２７０により基板ボックス２６３を開封不能に封印する様子を示す部分斜視図である。図１４は、基板ボックス２６３の封印ユニット２７０の箇所を示す部分正面図である。図１５（ａ）は、封印蓋２７５の取付前における基板ボックス２６３の封印ユニット２７０の箇所の図１４に示したＡ−Ａ線断面図、図１５（ｂ）は、封印蓋２７５の取付後における基板ボックス２６３の封印ユニット２７０の箇所の図１４に示したＡ−Ａ線断面図である。図１６（ａ），（ｂ）は、基板ボックス２６３の封印ユニット２７０の箇所の図１４に示したＢ−Ｂ線断面図、Ｃ−Ｃ線断面図である。図１７（ａ），（ｂ）は、順に、基板ボックス２６３の封印ユニット２７０の箇所の図１３に示したＤ−Ｄ線断面図、Ｅ−Ｅ線断面図である。図１８（ａ）〜（ｃ）は、基板ボックス２６３の封印ユニット２７０の箇所の図１４に示したＢ−Ｂ線断面での封印の様子を示す図である。
【０１３２】
本実施例のパチンコ機１０は、図２に示すように、遊技球が打ち込まれる遊技領域３０ａを有する遊技盤３０を備えている。また、本実施例のパチンコ機１０は、図３に示すように、遊技盤３０の裏面側に、第１制御基板ユニット２０１や裏パックユニット２０３が設けられているため、パチンコ機１０の裏面側から遊技盤３０の裏面側が直接に見えないようになっている。
【０１３３】
裏パックユニット２０３は、図３に示すように、パチンコ機１０の裏面視で左側での開閉軸Ｊ２を基準に片開き自在となっている。つまり、裏パック３５１と払出機構部３５２とが一体で開閉軸Ｊ２を基準に片開きするようになっている。このように裏パックユニット２０３を、開閉軸Ｊ２（図３参照）を基準に片開き状態とすると、遊技盤３０の裏面側があらわになってくるし、第１制御基板ユニット２０１のうち裏パックユニット２０３で隠れていた部分もあらわになる。
【０１３４】
第１制御基板ユニット２０１は、図６〜図９に示すように、所定の遊技に関する制御としての当該パチンコ機１０の遊技を統括制御する主制御装置２６１を備えている。この主制御装置２６１は、前述のパチンコ機１０の遊技を統括制御する主制御基板２６１ａ（図４参照）を収容する基板ボックス２６３を備えている。
【０１３５】
基板ボックス２６３は、図６〜図１１（ａ）に示すように、ボックスベース２６５とボックスカバー２６７とを備え、このボックスベース２６５とボックスカバー２６７とが合わされた状態でその内部空間に主制御基板２６１ａを収容するものである。なお、図６〜図９には、基板ボックス２６３の内部に主制御基板２６１ａが収容された状態を図示している。本実施例では、図１１（ａ）に示すように、有底箱型のボックスベース２６５の開口部を塞ぐように、ボックスカバー２６７がこのボックスベース２６５の長手方向（図１１（ａ）での矢印方向）にスライド装着されるようになっている。また、ボックスベース２６５とボックスカバー２６７とは、例えば、樹脂成形品であって、透明部材となっている。
【０１３６】
また、基板ボックス２６３は、前述したように取付台（図示省略）に取り付けられている。具体的には、基板ボックス２６３は、図８，図９に示すように、その裏面側で長手方向に間隔を空けて２個の回動自在な留め具２６４が設けられている。また、取付台（図示省略）の取付面には、図８，図９に示した横向き状態の留め具２６４がそれぞれ挿入可能な程度の大きさである横向きの長孔（図示省略）が２個形成されている。つまり、基板ボックス２６３の図８，図９に示した横向き状態の留め具２６４を、取付台（図示省略）の長孔（図示省略）に挿入し、この挿入した状態で留め具２６４を縦向きに回動させることで、留め具２６４が長孔（図示省略）から外れないようにロック（固定）でき、基板ボックス２６３を取付台（図示省略）に取り付けた状態で保持されるようになっている。
【０１３７】
さらに、この基板ボックス２６３は、図６に示すように、ボックスベース２６５およびボックスカバー２６７を開封不能に封印（封止）する封印ユニット２７０を備えている。この封印ユニット２７０は、基板ボックス２６３に形成された複数回分（本実施例では４回）の封印を目的とする複数個（本実施例では４個）の封印構成部２７１を備えており、封印に関与している封印構成部２７１の所定箇所（図１３，図１４に破線で示す箇所ｄ１〜ｄ３）が破壊（切断）されることで、その封印構成部２７１による封印が解除されるものである。
【０１３８】
封印構成部２７１は、図６，図９に示されているように、基板ボックス２６３に４個備えられていることから、封印ユニット２７０は、最大で４回分の封印を行うことができるようになっている。
【０１３９】
具体的には、封印構成部２７１は、ボックスベース２６５に設けられた第１封印部２６６と、ボックスカバー２６７に設けられた第２封印部２６８とを備え、ボックスベース２６５とボックスカバー２６７とを合わせた状態で第１封印部２６６と第２封印部２６８とを封印部材としての移動防止ピン２７３および封印蓋２７５で連結固定することで、ボックスベース２６５およびボックスカバー２６７を開封不能に封印し、封印を解除する場合に切断される箇所である被対象箇所としての第１封印部２６６の所定箇所（図１３，図１４に破線で示す箇所ｄ１〜ｄ３）を切断することで当該封印が解除されるものである。
【０１４０】
移動防止ピン２７３および封印蓋２７５は、図１１，図１２に示すように、前記４個の封印構成部２７１のいずれにも装着可能で、その４個の封印構成部２７１のうちの一つに装着されることで基板ボックス２６３の開封を抑止するものである。
【０１４１】
なお、移動防止ピン２７３は、図１１〜図１３に示すように、側面視でコノ字状の金属製部材としている。
【０１４２】
第１封印部２６６および第２封印部２６８には、図１２（ａ）に示すように、移動防止ピン２７３の両先端がそれぞれ挿入される２個の長孔２６６ａ，２６８ａが形成されている。具体的には、第１封印部２６６には、後述する図１９に示すように、移動防止ピン２７３の両先端がそれぞれ挿入される２個の長孔２６６ａが形成されている。また、第２封印部２６８には、図１２（ａ）に示すように、移動防止ピン２７３の両先端がそれぞれ挿入される２個の長孔２６８ａが形成されている。
【０１４３】
また、封印蓋２７５は、図１３（ａ）に示すように、第１封印部２６６の２個の長孔２６６ａに移動防止ピン２７３が挿入された状態で、図１３（ｂ）に示すように、その第１封印部２６６の開口２６６ｂを閉塞する部材である。また、この封印蓋２７５は、図１５（ｂ）に示すように、第１封印部２６６の開口２６６ｂを閉塞するように当該第１封印部２６６に取り付けられた状態で、第１封印部２６６と係止する係止爪２７６を備えており、第１封印部２６６への取り付けは許容されているが、第１封印部２６６からの取り外しが不可となっている。具体的には、封印蓋２７５は、図１３に示すように、第１封印部２６６の開口２６６ｂを閉塞する蓋部２７７と、この蓋部２７７の第１封印部２６６と対向する側に形成された係止爪２７６と、蓋部２７７の第１封印部２６６と対向する側に形成された挿入板部２７８とを備えている。
【０１４４】
図１１（ｂ）に示すように、ボックスベース２６５とボックスカバー２６７とを合わせた状態で第１封印部２６６および第２封印部２６８の２個の長孔２６６ａ，２６８ａに移動防止ピン２７３を挿入することで、ボックスベース２６５とボックスカバー２６７とのスライド方向への移動ができなくなり、第１封印部２６６の開口２６６ｂを封印蓋２７５で閉塞すると、封印蓋２７５の係止爪２７６が第１封印部２６６に係止されて封印蓋２７５が取り外せなくなり、ボックスベース２６５とボックスカバー２６７とが開封不能に連結されるようになっている。すなわち、封印ユニット２７０を構成する４つの封印構成部２７１のうち、少なくとも一つの封印構成部２７１の長孔２６６ａ，２６８ａに移動防止ピン２７３を挿入し、その封印構成部２７１の開口２６６ｂを封印蓋２７５で閉塞することにより封印処理が行われる。
【０１４５】
なお、図６，図７，図１１〜図１４などには、説明の便宜上の理由から、全ての封印構成部２７１に移動防止ピン２７３及び封印蓋２７５を着ける図が示されているが、１回の封印に対して全ての封印構成部２７１を封印する必要は少なく、そのうちの１つの封印構成部２７１を封印し、他の封印構成部２７１に移動防止ピン２７３及び封印蓋２７５を着けないようにするのが通常の使用方法である。
【０１４６】
そして、収容した主制御基板２６１ａの不具合などにより基板ボックス２６３を開封する場合には、移動防止ピン２７３が挿入されて封印蓋２７５で閉塞された封印構成部２７１の所定箇所（図１３，図１４に破線で示す箇所ｄ１〜ｄ３）を切断し（この切断された封印構成部２７１は当然にその切断跡、つまり破壊痕跡が残った状態となっている）、移動防止ピン２７３および封印蓋２７５による封印を解除する。その後、再度封印処理する場合は、封印解除した封印構成部２７１から取り出した移動防止ピン２７３を他の封印構成部２７１の長孔２６６ａ，２６８ａに挿入し、その封印構成部２７１の開口２６６ｂを、封印解除した封印構成部２７１から取り出した封印蓋２７５で閉塞する。基板ボックス２６３の開封を行った旨の履歴を当該基板ボックス２６３に残しておけば、基板ボックス２６３を見ることで不正な開封が行われた旨が容易に発見できる。
【０１４７】
ここで、封印ユニット２７０のさらなる特徴部分について図１９〜図３３を用いて説明する。
【０１４８】
図１９〜図２１は、封印ユニット２７０の内部にインクカプセル２８０を取り付ける様子を示す基板ボックス２６３の要部の裏面左側視の分解斜視図である。図２２〜図２４は、封印ユニット２７０の内部にインクカプセル２８０を取り付ける様子を示す基板ボックス２６３の要部の裏面右側視の分解斜視図である。図２５〜図２７は、封印ユニット２７０の内部にインクカプセル２８０を取り付ける様子を示す基板ボックス２６３の要部の正面右側視の分解斜視図である。図２８〜図３０は、封印ユニット２７０の内部にインクカプセル２８０を取り付ける様子を示す基板ボックス２６３の要部の正面右側視の分解斜視図である。図３１〜図３３は、封印ユニット２７０の内部にインクカプセル２８０を取り付ける様子を示す基板ボックス２６３の要部の断面図である。図３４は、封印蓋２７５へのインク付着を示す図である。
【０１４９】
さらに、封印構成部２７１は、図１９〜図３３に示すように、所定の有色液体（例えば、赤、青、緑、紫、黄色など所定の色のインク）を収容したインクカプセル２８０と、このインクカプセル２８０の所定箇所を覆うように保持する透明な部材であって保持されたインクカプセル２８０の周囲で所定方向に並べられた複数個の凹凸部からなる第１凹凸部２８６を備えた保持部材２８５と、第１凹凸部２８６と咬合する複数個の凹凸部からなる第２凹凸部２９７を有し、第２凹凸部２９７に第１凹凸部２８６を咬合させて保持部材２８５が取り付けられる被取付部２９５とを備えている。この被取付部２９５は、その少なくとも一部が、封印ユニット２７０による封印を解除する場合に切断される箇所である被対象箇所（図１３，図１４，図２１，図２４，図２７，図３０，図３３に破線で示す箇所ｄ２）に、位置するように備えられている。封印構成部２７１は、被対象箇所（図１３，図１４，図２１，図２４，図２７，図３０，図３３に破線で示す箇所ｄ２）が切断されることで、当該封印が解除されるとともに、インクカプセル２８０も切断されて当該ンクカプセル２８０から液体が流出して当該封印ユニット２７０に付着するものである。
【０１５０】
第１凹凸部２８６は、覆い部２８７の短手方向の両側に沿ってそれぞれ設けられ、かつ、覆い部２８７からインクカプセル２８０側に向けて突出した凸部（延出部２９１）を間隔を空けて複数個形成することで凹凸形状としたものである。また、被取付部２９５の第２凹凸部２９７は、前述したように第１凹凸部２８６と咬合する形状となっている。
【０１５１】
インクカプセル２８０は、図１９〜図３３に示すように、内部空間に有色液体を収容密閉した筒状部材である。
【０１５２】
また、封印構成部２７１は、被対象箇所（図１３，図２１，図２７，図３３などに破線で示す箇所ｄ２）が切断されることで、当該封印が解除されるとともに、インクカプセル２８０も切断されて当該インクカプセル２８０から液体が流出して当該封印構成部２７１に付着するようになっている。
【０１５３】
さらに、封印ユニット２７０は、図３４（ａ）に示すように、インクカプセル２８０から流出した液体が封印蓋２７５に伝う隙間流路部（第１凹凸部２８６と第２凹凸部２９７との咬合隙間および封印蓋２７５の挿入板部２７８とインクカプセル２８０との隙間）を備えている。
【０１５４】
具体的には、第１封印部２６６は、図２８〜図３０に示すように、２個の縦長孔２６６ｃがその長手方向に並ぶように形成されており、第２封印部２６８も、図２８〜図３０に示すように、その縦長孔２６６ｃに対応する位置に縦長穴２６８ｂが形成されており、封印蓋２７５の挿入板部２７８は、第１封印部２６６の縦長孔２６６ｃと第２封印部２６８の縦長穴２６８ｂとに連挿されるようになっており、封印蓋２７５の両挿入板部２７８の間にインクカプセル２８０が位置する格好となっている。つまり、図３５の箇所ｄ２で切断されたインクカプセル２８０から流出した有色液体（インク）は、第１凹凸部２８６と第２凹凸部２９７との咬合隙間を伝い、さらに、封印蓋２７５の挿入板部２７８とインクカプセル２８０との隙間を伝ったり、インクカプセル２８０から下方の挿入板部２７８に落下したりして、図３４（ｂ）に斜線で示すように、封印蓋２７５の挿入板部２７８や係止爪２７６に付着したりする。
【０１５５】
また、保持部材２８５は、図１９，図３１，図３３などに示すように、インクカプセル２８０を保持した状態で封印構成部２７１に係止する係止部２９３を備えている。
【０１５６】
また、保持部材２８５は、図２５，図３１などに示すように、インクカプセル２８０の所定箇所を覆う覆い部２８７と、この覆い部２８７に設けられた、インクカプセル２８０を保持する保持部２８９と、を備えている。
【０１５７】
覆い部２８７は、図１９〜図３３に示すように、インクカプセル２８０の長手方向長さと同程度の長さとした形状のものである。
【０１５８】
保持部２８９は、図１９〜図３３に示すように、インクカプセル２８０の外周所定箇所を保持するように、覆い部２８７の短手方向の両側からインクカプセル２８０側に向けてそれぞれ延出された延出部２９１を備えている。
【０１５９】
覆い部２８７は、図１９〜図３３に示すように、そのインクカプセル２８０と対向する面を見た状態で、インクカプセル２８０の長手方向長さと同程度の長さで、かつ、インクカプセル２８０の胴幅とよりも大きい形状である。両延出部２９１は、インクカプセル２８０の外周所定箇所を挟持するように、インクカプセル２８０の胴幅よりも僅かに小さい開口幅で設けられている。
【０１６０】
封印ユニット２７０は、図１９〜図３３に示すように、流出液体が主制御基板２６１ａに付着することを防ぐ防護壁２６７ａを備えている。
【０１６１】
なお、上述した主制御基板２６１ａが本発明における制御基板に相当し、上述した基板ボックス２６３が本発明における基板収容ユニットに相当し、上述した基板ボックス２６３が本発明における基板ケースに相当し、上述した封印ユニット２７０が本発明における封印手段に相当し、上述したインクカプセル２８０が本発明における液体収容体に相当し、上述したボックスベース２６５が本発明における第１ケース部材に相当し、上述したボックスカバー２６７が本発明における第２ケース部材に相当し、上述した移動防止ピン２７３および封印蓋２７５が本発明における封印部材に相当し、上述した延出部２９１が本発明における凸部に相当する。
【０１６２】
ここで、基板ボックス２６３を封印ユニット２７０によって封印する手順について説明する。
【０１６３】
まず、インクカプセル２８０を封印ユニット２７０の内部に取り付ける。
【０１６４】
つまり、インクカプセル２８０は、図１９，図２５，図３１に示すように、保持部材２８５とは別体であるが、図２０，図２６，図３２に示すように、インクカプセル２８０を覆い部２８７の両延出部２９１の間に挟持させるように当該インクカプセル２８０を保持部材２８５に取り付ける。このようにインクカプセル２８０が保持部材２８５に付けられており、保持部材２８５で保持された状態でインクカプセル２８０が取り扱われることになる。
【０１６５】
そして、保持部材２８５で保持された状態でのインクカプセル２８０を、図２１，図２７，図３３に示すように、一の封印構成部２７１の第１封印部２６６での第２封印部２６８と対向する側での被対象箇所（図１３，図２１，図２７，図３３などに破線で示す箇所ｄ２）にある被取付部２９５に取り付ける。つまり、インクカプセル２８０付きの保持部材２８５の第１凹凸部２８６を、被取付部２９５の第２凹凸部２９７に咬合させて取り付ける。
【０１６６】
図２１，図２７，図３３に示すように、保持部材２８５で保持された状態でのインクカプセル２８０が一の封印構成部２７１の第１封印部２６６での被取付部２９５に取り付けられた状態では、保持部材２８５の係止部２９３が第１封印部２６６の被取付部２９５に係止されている。
【０１６７】
このようにインクカプセル２８０が第１封印部２６６に取り付けられた状態とした後に、ボックスベース２６５でのボックスカバー２６７と対向する面に主制御基板２６１ａを取り付け、図１１（ａ）に示すように、ボックスベース２６５とボックスカバー２６７とスライド装着し、ボックスベース２６５とボックスカバー２６７とを合わせる。
【０１６８】
そして、図１１（ｂ）に示すように、ボックスベース２６５とボックスカバー２６７とを合わせた状態で第１封印部２６６および第２封印部２６８の２個の長孔２６６ａ，２６８ａに移動防止ピン２７３を挿入し、図１１（ｃ）に示すように、第１封印部２６６の開口２６６ｂを封印蓋２７５で閉塞する。
【０１６９】
前記の移動防止ピン２７３の挿入によって、ボックスベース２６５とボックスカバー２６７とのスライド方向への移動ができなくなり、第１封印部２６６の開口２６６ｂを封印蓋２７５で閉塞することで、移動防止ピン２７３にアクセスできなくなるので、ボックスベース２６５とボックスカバー２６７とを開封不能に連結した状態となる。
【０１７０】
続いて、基板ボックス２６３の封印ユニット２７０の開封によってインクカプセル２８０の有色液体が封印ユニット２７０に付着する様子について説明する。
【０１７１】
図１３，図１４に示すように、封印ユニット２７０のうち封印に関与している封印構成部２７１の所定箇所ｄ１〜ｄ３を切断することで、その封印構成部２７１による封印が解除される。
【０１７２】
特に、箇所ｄ２の切断によって、図１７，図２１に示すように、インクカプセル２８０も箇所ｄ２で切断され、このインクカプセル２８０の内部の有色液体（インク）が流出して封印ユニット２７０に付着する。
【０１７３】
つまり、図１７，図２１に示すように、封印ユニット２７０の封印構成部２７１の切断箇所ｄ２に有色液体が付着するだけでなく、その切断箇所またはその近傍箇所の第１凹凸部２８６と第２凹凸部２９７との咬合隙間に流出液体が浸入し、切断箇所ｄ２よりも内部での第１凹凸部２８６と第２凹凸部２９７との咬合隙間にまで、その流出液体が毛細管現象のように広がって付着し、流出液体をその切断箇所ｄ２だけでなく当該切断箇所から内部までわたって付着する。
【０１７４】
また、その第１凹凸部２８６と第２凹凸部２９７との咬合隙間を伝った有色液体は、さらに、封印蓋２７５の挿入板部２７８とインクカプセル２８０との隙間を伝ったり、インクカプセル２８０から下方の挿入板部２７８に落下したりして、封印蓋２７５の挿入板部２７８や係止爪２７６に付着したりする。
【０１７５】
上述したように、本実施例のパチンコ機１０によれば、遊技球の打ち込まれる遊技領域３０ａが形成される遊技盤３０を備え、この遊技盤３０は、その裏面側に、所定の遊技に関する制御を行う主制御基板２６１ａを有する基板ボックス２６３を備え、この基板ボックス２６３は、主制御基板２６１ａを内部に収容するボックスベース２６５およびボックスカバー２６７と、このボックスベース２６５およびボックスカバー２６７を開封不能に封印する封印ユニット２７０とを備え、この封印ユニット２７０は、基板ボックス２６３に形成された複数回分の封印を目的とする複数個の封印構成部２７１と、この複数個の封印構成部２７１のいずれにも装着可能で、その複数個の封印構成部２７１のうちの一つに装着されることで基板ボックス２６３の開封を抑止する封印蓋２７５と、この封印蓋２７５の装着された封印構成部２７１についての封印を解除する場合に切断される箇所である被対象箇所に設けられた、有色液体を収容したインクカプセル２８０と、このインクカプセル２８０から流出した液体が封印蓋２７５に伝う隙間流路部（第１凹凸部２８６と第２凹凸部２９７との咬合隙間および封印蓋２７５の挿入板部２７８とインクカプセル２８０との隙間）と、を備え、封印蓋２７５は、封印構成部２７１に装着された状態で当該封印構成部２７１に係止する係止爪２７６を備え、封印構成部２７１への装着は許容されているが、封印構成部２７１からの取り外しが係止爪２７６により不可となっているものであり、さらに、封印ユニット２７０は、封印蓋２７５の装着されている封印構成部２７１の被対象箇所を切断することで、当該封印が解除されるとともに、インクカプセル２８０も切断されて当該インクカプセル２８０から液体が流出して前記隙間流路部を伝って封印蓋２７５に付着し、その液体の付着した当該封印蓋２７５がその封印構成部２７１から取り外し可能となるものである。
【０１７６】
したがって、封印ユニット２７０の（封印機構）封印構成部２７１の切断箇所ｄ２（つまり、被対象箇所を切断した後の箇所）に有色液体（有色化した液体を含む）が付着し、その切断箇所ｄ２が目立ち、不正に切断された場合にその痕跡を見逃すことを低減できる。つまり、封印ユニット２７０の切断痕跡ｄ２の発見漏れを低減できる遊技機を提供することができる。
【０１７７】
また、インクカプセル２８０から流出した液体は、封印ユニット２７０の切断箇所に付着するだけでなく、隙間流路部を伝って封印蓋２７５にも付着するので、その液体付着した封印蓋２７５が封印構成部２７１から取り外されて一度も封印解除されていない基板ボックス２６３に使用されている場合には、液体付着した封印蓋２７５が使用されていることを根拠に不正行為を発見できる。つまり、一度も封印解除されていない基板ボックス２６３には、液体付着していない封印蓋２７５が本来使用されている筈であることに対して、液体付着した封印蓋２７５が使用されていることが不自然である。よって、不正な制御基板を収容した模造ケースと、撤去台などから取り出した未使用の封印蓋２７５（封印部材）とを組み合わせた不正品へのすり替えを、その不自然さを根拠に発見でき、すり替え使用などの不正行為を低減できる。
【０１７８】
その結果、封印ユニット２７０（封印機構）の切断痕跡の発見漏れを低減でき、不正行為を低減できるパチンコ機を提供することができる。
【０１７９】
また、この封印ユニット２７０は、所定の有色液体を収容したインクカプセル２８０と、このインクカプセル２８０の所定箇所を覆うように保持する透明な部材であって保持されたインクカプセル２８０の周囲で所定方向に並べられた複数個の凹凸部からなる第１凹凸部２８６を備えた保持部材２８５と、第１凹凸部２８６と咬合する複数個の凹凸部からなる第２凹凸部２９７を有し、第２凹凸部２９７に第１凹凸部２８６を咬合させて保持部材２８５が取り付けられる被取付部２９５とを備えている。この被取付部２９５は、その少なくとも一部が、封印ユニット２７０による封印を解除する場合に切断される箇所である被対象箇所（図１３，図１４，図２１，図２４，図２７，図３０，図３３に破線で示す箇所ｄ２）に、位置するように備えられており、封印構成部２７１は、被対象箇所ｄ２が切断されることで、当該封印が解除されるとともに、インクカプセル２８０も切断されて当該ンクカプセル２８０から液体が流出して当該封印ユニット２７０に付着するものである。したがって、封印ユニット２７０の封印構成部２７１の切断箇所ｄ２を切断すると、その箇所ｄ２に有色液体が付着するだけでなく、その切断箇所ｄ２またはその近傍箇所の第１凹凸部２８６と第２凹凸部２９７との咬合隙間に流出液体が浸入し、切断箇所ｄ２よりも内部での第１凹凸部２８６と第２凹凸部２９７との咬合隙間にまで、その流出液体が毛細管現象のように広がって付着し、流出液体をその切断箇所ｄ２だけでなく当該切断箇所ｄ２から内部までわたって付着させることができ、より切断箇所ｄ２を目立たすことができ、不正に切断された場合にその痕跡を見逃すことを低減できる。つまり、封印ユニット２７０（封印機構）の切断痕跡の発見漏れを低減できるパチンコ機を提供することができる。
【０１８０】
また、第１凹凸部２８６は、覆い部２８７の短手方向の両側に沿ってそれぞれ設けられ、かつ、覆い部２８７からインクカプセル２８０側に向けて突出した凸部（延出部２９１）を間隔を空けて複数個形成することで凹凸形状としているので、封印ユニット２７０の封印構成部２７１の切断箇所ｄ２を切断すると、その箇所ｄ２に有色液体が付着するだけでなく、その切断箇所ｄ２またはその近傍箇所の第１凹凸部２８６と第２凹凸部２９７との咬合隙間に流出液体が浸入し、切断箇所ｄ２よりも内部での第１凹凸部２８６と第２凹凸部２９７との咬合隙間にまで、その流出液体が毛細管現象のように広がって付着し、流出液体をその切断箇所ｄ２だけでなく当該切断箇所ｄ２から内部までわたって付着させることができ、より切断箇所ｄ２を目立たすことができ、不正に切断された場合にその痕跡を見逃すことを低減できる。
【０１８１】
また、インクカプセル２８０が保持部材２８５により保持されているので、封印ユニット２７０（封印機構）に装着する等の際に、インクカプセル２８０を誤って破損させることを低減でき、基板ボックス２６３等に流出液体が誤って付着することを低減でき、当該付着に起因する基板ボックス２６３の破棄や清掃など二次的被害の発生を低減できる。
【０１８２】
また、保持部材２８５は、インクカプセル２８０を保持した状態で封印ユニット２７０に係止する係止部２９３を備えているので、インクカプセル２８０を保持した状態の保持部材２８５を、封印ユニット２７０に係止させる（つまり、取り付ける）ことができ、インクカプセル２８０を保持した状態の保持部材２８５の取付操作が簡単である。
【０１８３】
また、保持部材２８５は、インクカプセル２８０の所定箇所を覆う覆い部２８７と、この覆い部２８７に設けられた、インクカプセル２８０を保持する保持部２８９と、を備えているので、インクカプセル２８０を、保持部材２８５の保持部２８９で保持し、かつ、その保持部材２８５の覆い部２８７で保持した状態で取り扱うことができ、インクカプセル２８０を封印ユニット２７０に装着する等の際に、インクカプセル２８０を誤って破損させることを低減できる。
【０１８４】
また、インクカプセル２８０は、内部空間に有色液体を収容密閉した筒状部材であり、覆い部２８７は、インクカプセル２８０の長手方向長さと同程度の長さとした形状のものであり、保持部２８９は、インクカプセル２８０の外周所定箇所を保持するように、覆い部２８７の短手方向の両側からインクカプセル２８０側に向けてそれぞれ延出された延出部２９１を備えているので、筒状のインクカプセル２８０の長手方向を覆い部２８７に沿わせるとともに、当該インクカプセル２８０の外周所定箇所を保持部２８９の両延出部２９１で保持するので、筒状のインクカプセル２８０をその長手方向にわたって保護することができ、インクカプセル２８０を保持部材２８５に保持させた状態で封印ユニット２７０に取り付けることができる。
【０１８５】
また、覆い部２８７は、そのインクカプセル２８０と対向する面を見た状態で、インクカプセル２８０の長手方向長さと同程度の長さで、かつ、インクカプセル２８０の胴幅よりも大きい形状であり、両延出部２９１は、インクカプセル２８０の外周所定箇所を挟持するように、インクカプセル２８０の胴幅よりも僅かに小さい開口幅で設けられているので、覆い部２８７の両延出部２９１間にインクカプセル２８０の胴部を入れることで、そのインクカプセル２８０の胴部が両延出部２９１で挟持され、覆い部２８７でインクカプセル２８０の長手方向が覆われるので、筒状のインクカプセル２８０をその長手方向にわたって保護することができ、インクカプセル２８０を保持部材２８５に挟持させた状態で封印ユニット２７０に取り付けることができる。
【０１８６】
また、基板ボックス２６３は、ボックスベース２６５とボックスカバー２６７とを備え、ボックスベース２６５とボックスカバー２６７とを合わせた状態でのその内部空間に主制御基板２６１ａを収容し、封印ユニット２７０は、ボックスベース２６５に設けられた第１封印部２６６と、ボックスカバー２６７に設けられた第２封印部２６８とを備え、ボックスベース２６５とボックスカバー２６７とを合わせた状態で第１封印部２６６と第２封印部２６８とを封印部材（移動防止ピン２７３および封印蓋２７５）で連結固定することで、ボックスベース２６５およびボックスカバー２６７を開封不能に封印し、被対象箇所としての第１封印部２６６の箇所ｄ２を切断することで当該封印が解除されるものであり、ボックスベース２６５とボックスカバー２６７とは、透明部材であるとしているので、このような構成の基板ユニットであっても、被対象箇所ｄ２の切断によってインクカプセル２８０も切断されて、切断箇所に有色液体が付着し、その切断箇所が目立ち、不正に切断された場合にその痕跡を見逃すことを低減できる。また、インクカプセル２８０が保持部材２８５により保持されているので、封印ユニット２７０（封印機構）に装着する等の際に、インクカプセル２８０を誤って破損させることを低減でき、基板ボックス２６３（基板ケース）等に流出液体が誤って付着することを低減でき、当該付着に起因する基板ボックス２６３の破棄や清掃など二次的被害の発生を低減できる。また、ボックスベース２６５とボックスカバー２６７とは透明部材としているので、その内部に収容された主制御基板２６１ａを目視確認できる。
【０１８７】
また、封印ユニット２７０は、流出液体が主制御基板２６１ａに付着することを防ぐ防護壁２６７ａを備えているので、封印ユニット２７０の被対象箇所ｄ２の切断によってインクカプセル２８０が切断されて流出した液体は、防護壁２６７ａで阻まれ、流出液体の主制御基板２６１ａへの付着を防ぐことができる。
【実施例２】
【０１８８】
次に、実施例２のパチンコ機を、図面に基づいて詳細に説明する。図３５は、実施例２での保持部材２８５の両延出部２９１を示す断面図である。
【０１８９】
前述の実施例１では、保持部材２８５の両延出部２９１は、インクカプセル２８０の外周所定箇所を挟持するように、インクカプセル２８０の胴幅よりも僅かに小さい開口幅で設けられているが、実施例２の保持部材２８５の両延出部２９１は、その先端同士の間隔をインクカプセル２８０の胴幅よりも僅かに小さくし、かつ、当該先端以外の箇所をインクカプセル２８０の外周に当接または近接することで、インクカプセル２８０を保持するものである点が前述の実施例１と異なっている。
【０１９０】
上述したように、本実施例２のパチンコ機１０によれば、覆い部２８７は、そのインクカプセル２８０と対向する面を見た状態で、インクカプセル２８０の長手方向長さと同程度の長さで、かつ、インクカプセル２８０の胴幅よりも大きい形状であり、両延出部２９１は、その先端同士の間隔をインクカプセル２８０の胴幅よりも僅かに小さくし、かつ、当該先端以外の箇所をインクカプセル２８０の外周に当接または近接することで、インクカプセル２８０を保持するので、覆い部２８７の両延出部２９１の先端間からインクカプセル２８０の胴部を入れてしまえば、両延出部２９１の先端間はインクカプセル２８０の胴幅よりも小さいので、その液体収容体が両延出部２９１から外れないようにでき、覆い部２８７でインクカプセル２８０の長手方向が覆われるので、筒状のインクカプセル２８０をその長手方向にわたって保護することができ、インクカプセル２８０を保持部材２８５に保持させた状態で封印ユニット２７０に取り付けることができる。
【０１９１】
この発明は、上記実施形態に限られることはなく、下記のように変形実施することができる。
【０１９２】
（１）上述した各実施例では、覆い部２８７はインクカプセル２８０の長手方向長さと同程度の長さとしているが、それよりも長くしてもよい。
【０１９３】
（２）上述した各実施例では、覆い部２８７はインクカプセル２８０の胴幅よりも大きい形状としているが、インクカプセル２８０の胴幅と同程度としてもよい。
【０１９４】
（３）上述した各実施例では、前記被対象箇所として第１封印部２６６の所定箇所（図１３（ｂ）の箇所ｄ１〜ｄ３）を採用しているが、第２封印部２６８の所定箇所や、第１封印部２６６と第２封印部２６８の両方の所定箇所としてもよい。ただし、その所定箇所にインクカプセル２８０が設け、当該所定箇所の切断に伴ってこのインクカプセル２８０も切断される構成とすることが必要である。
【０１９５】
（４）上述した各実施例では、制御基板として主制御基板２６１ａを被包する基板ケースに封印ユニット２７０を採用した例を挙げて説明しているが、他の制御基板（例えば、払出制御基板３１１ａやサブ制御基板２６２ａなどの各種の制御基板）に適用してもよい。
【０１９６】
（５）上述した各実施例では、インクカプセル２８０内の液体は、有色液体としているが、インクカプセル２８０から流出する際または流出後に、空気などの気体や他の液体との化学反応等によって、無色から有色化あるいはある色から他の色に変化する液体を採用してもよい。
【０１９７】
（６）上述した各実施例に替えて、図３６に示すような保持部材２８５を採用してもよい。つまり、本変形例での保持部材２８５は、図３６に示すように、覆い部２８７をインクカプセル２８０側から見た状態において、当該覆い部２８７の短手方向の両側のうちで一方側の凸部（延出部２９１）をその他方側の凸部（延出部２９１）に対して当該覆い部２８７の長手方向にずらした位置に形成しているものである。
【０１９８】
この場合には、図３６に示すように、覆い部２８７をインクカプセル２８０側から見ると、覆い部２８７の短手方向の両側のうちの一方側の延出部２９１は、その他方側の延出部２９１に対して覆い部の長手方向にずらした位置に形成されている。つまり、覆い部２８７の短手方向から第１凹凸部２８６を見た状態では、覆い部２８７の両側での第１凹凸部２８６および第２凹凸部２９７の咬合隙間が覆い部２８７の長手方向にずれた位置となっているために、より多くの咬合隙間を見ることができ、流出液体がこれらの咬合隙間に広がって付着した状態を見ることができ、より切断箇所を目立たすことができ、不正に切断された場合にその痕跡を見逃すことを低減できる。
【０１９９】
なお、図３６では、覆い部２８７の短手方向の両側のうちの一方側の延出部２９１を、その他方側の延出部２９１に対して覆い部２８７の長手方向に、ちょうど延出部２９１を一個分ずらした位置に形成しているが、延出部２９１の何分の一かの長さでずらすようにしてもよい。
【０２００】
（７）上述した各実施例に替えて、図３７に示すような保持部材２８５を採用してもよい。つまり、本変形例での保持部材２８５は、図３７に示すように、第１凹凸部２８６の凸部としての延出部２９２は、覆い部２８７をインクカプセル２８０側から見た状態で、四角形状であり、かつ、その四面のうちで外面および内面の二面が覆い部２８７の短手方向の両側に平行な面または略平行な面２９２ａであり、残り二面が覆い部２８７の短手方向の両側に対して傾斜した傾斜面２９２ｂとしているものである。
【０２０１】
この場合には、図３７に示すように、覆い部２８７の短手方向から第１凹凸部２８６を見た状態では、延出部２９２の傾斜面２９２ｂの存在によって、覆い部２８７の両側での第１凹凸部２８６および第２凹凸部２９７の咬合隙間を、当該隙間間隔以上の所定幅にわたって見ることができ、流出液体がこれらの咬合隙間に広がって付着した状態を見ることができ、より切断箇所を目立たすことができ、不正に切断された場合にその痕跡を見逃すことを低減できる。
【０２０２】
（８）上述した各実施例では、インクカプセル２８０を保持する保持部材２８５に第１凹凸部２８６を備え、この保持部材２８５が取り付けられる被取付部２９５自体に第２凹凸部２９７を形成していたが、図３８に示すような構成としてもよい。例えば、図３８に示すように、保持部材２９９は、インクカプセル２８０の所定箇所を間に挟むようにして組み合わされる第１部材３０１および第２部材３０２を備え、この第１部材３０１は、インクカプセル２８０の周囲で所定方向に並べられた複数個の凹凸部からなる第１凹凸部２８６を備え、第２部材３０２は、第１凹凸部２８６と咬合する複数個の凹凸部からなる第２凹凸部２９７を備え、第１部材３０１および第２部材３０２は、インクカプセル２８０の所定箇所を間に挟み、かつ、第１凹凸部２８６と第２凹凸部２９７とを咬合させるようにして組み合わされ、この保持部材２９９が被取付部２９５に取り付けられるという構成が挙げられる。
【０２０３】
この場合には、図３８に示すように、第１部材３０１の第１凹凸部２８６と第２部材３０２の第２凹凸部２９７とを咬合させた状態で当該第１部材３０１と第２部材３０２との間にインクカプセル２８０を挟むという保持部材２９９を採用した場合であっても、前述の各実施例と同様の効果を有する。
【０２０４】
（９）上述した各実施例では、図３３に示すように、切断箇所ｄ２でインクカプセル２８０および保持部材２８５が切断されることから、インクカプセル２８０および保持部材２８５を、図３３を見た状態で右手方向にさらに長くしたものを採用してもよい。つまり、切断箇所ｄ２で切断されて第１封印部２６６に残る保持部材２８５の部分を多くする。つまり、切断箇所ｄ２で切断されて第１封印部２６６に残る保持部材２８５についての第１凹凸部２８６と第２凹凸部２９７との咬合隙間を多く残すことで、その多く残った咬合隙間を流出液体が毛細管現象のようにより広がって付着し、より切断箇所ｄ２を目立たすことができる。
【０２０５】
（１０）上述した各実施例では、基板ボックス２６３の開封の際に封印蓋２７５へのインク付着し、一度も封印解除されていない基板ボックス２６３に、インク付着した封印蓋２７５が使用されている場合に、インク付着した封印蓋２７５が使用されていることを根拠に不正行為を発見できる構成を例に挙げて説明しているが、基板ボックス２６３の開封の際またはそのときに封印蓋２７５の所定箇所たる被破壊部２７６ａが破壊され、その被破壊部２７６ａが破壊された後の封印蓋２７５が、一度も封印解除されていない基板ボックス２６３に使用されていることを根拠に不正行為を発見できる構成としてもよい。
【０２０６】
具体的には、封印蓋２７５は、図３９（ａ）に示すように、２つの係止爪２７６のうちの一方の係止爪２７６に、封印構成部２７１からの取り外しの際に破壊される被破壊部２７６ａを備えている。この被破壊部２７６ａとしては、図３９（ｂ）に示すように、肉厚を薄くした構成などが挙げられ、被破壊部２７６ａを有する係止爪２７６は、それを有しない係止爪２７６に比べて、その被破壊部２７６ａで破壊されるようになっている。つまり、封印蓋２７５を外す際には、図３９（ａ）に破線矢印で示すように、係止爪２７６の拡がりを狭めるようにして封印構成部２７１から当該封印蓋２７５を取り外すのであるが、その際に図３９（ｂ）に示すように下方の係止爪２７６が被破壊部２７６ａで折れてしまう。このように一方の係止爪２７６が被破壊部２７６ａで破壊された封印蓋２７５を次の封印構成部２７１などに利用するのであるが、仮に、一度も封印解除されていない基板ボックス２６３に使用された場合には、それを根拠に不正行為を発見できる。
【０２０７】
（１１）上述した各実施例では、図３４に示すように、インクカプセル２８０から流出した液体が封印蓋２７５に付着しているが、移動防止ピン２７３に付着するようにしてもよい。また、上述した各実施例では、封印蓋２７５と移動防止ピン２７３とを別体としているが、封印蓋２７５に移動防止ピン２７３の機能を持たせて一体としてもよい。
【０２０８】
（１２）上述した各実施例では、基板ボックス２６３の開封を物理的または機構的に抑止する封印部材としての移動防止ピン２７３に、インクカプセル２８０から流出した液体が付着する構成を例に挙げて説明しているが、基板ボックス２６３の開封を物理的または機構的に抑止しない封印部材（例えば、液体付着用部材：基板ケースの開封の際に液体収容体から流出した液体が付着することを主として目的とするもの）に、インクカプセル２８０から流出した液体が付着する構成を採用してもよい。なお、前述の各実施例では、前記の別途の液体付着用部材を必要としないので、部品点数が少なくて済む。
【０２０９】
（１３）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２１０】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０２１１】
以上のように、この発明は、パチンコ機やスロットマシン等の遊技機に適している。
【図面の簡単な説明】
【０２１２】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例１での基板ボックスの正面左側視の斜視図である。
【図７】基板ボックスの正面右側視の斜視図である。
【図８】基板ボックスの裏面左側視の斜視図である。
【図９】基板ボックスの裏面右側視の斜視図である。
【図１０】（ａ）〜（ｃ）は、基板ボックスの平面図、左側面図、正面図である。
【図１１】（ａ）〜（ｃ）は、封印ユニットにより基板ボックスを開封不能に封印する様子を示す図である。
【図１２】（ａ），（ｂ）は、基板ボックスを閉じる様子を示す部分斜視図である。
【図１３】（ａ），（ｂ）は、封印ユニットにより基板ボックスを開封不能に封印する様子を示す部分斜視図である。
【図１４】基板ボックスの封印ユニットの箇所を示す部分正面図である。
【図１５】（ａ）は、封印蓋取付前における基板ボックスの封印ユニットの箇所の図１４に示したＡ−Ａ線断面図、（ｂ）は、封印蓋取付後における基板ボックスの封印ユニットの箇所の図１４に示したＡ−Ａ線断面図である。
【図１６】（ａ），（ｂ）は、基板ボックスの封印ユニットの箇所の図１４に示したＢ−Ｂ線断面図、Ｃ−Ｃ線断面図である。
【図１７】（ａ），（ｂ）は、順に、基板ボックスの封印ユニットの箇所の図１３に示したＤ−Ｄ線断面図、Ｅ−Ｅ線断面図である。
【図１８】（ａ）〜（ｃ）は、基板ボックスの封印ユニットの箇所の図１４に示したＢ−Ｂ線断面での封印の様子を示す図である。
【図１９】封印ユニットの内部にインクカプセルを取り付ける様子を示す基板ボックスの要部の裏面左側視の分解斜視図である。
【図２０】インクカプセルに保持部材を取り付けた状態での基板ボックスの要部の裏面左側視の分解斜視図である。
【図２１】インクカプセル付きの保持部材を取り付けた状態での基板ボックスの要部の裏面左側視の分解斜視図である。
【図２２】封印ユニットの内部にインクカプセルを取り付ける様子を示す基板ボックスの要部の裏面右側視の分解斜視図である。
【図２３】インクカプセルに保持部材を取り付けた状態での基板ボックスの要部の裏面右側視の分解斜視図である。
【図２４】インクカプセル付きの保持部材を取り付けた状態での基板ボックスの要部の裏面右側視の分解斜視図である。
【図２５】封印ユニットの内部にインクカプセルを取り付ける様子を示す基板ボックスの要部の正面右側視の分解斜視図である。
【図２６】インクカプセルに保持部材を取り付けた状態での基板ボックスの要部の正面右側視の分解斜視図である。
【図２７】インクカプセル付きの保持部材を取り付けた状態での基板ボックスの要部の正面右側視の分解斜視図である。
【図２８】封印ユニットの内部にインクカプセルを取り付ける様子を示す基板ボックスの要部の正面右側視の分解斜視図である。
【図２９】インクカプセルに保持部材を取り付けた状態での基板ボックスの要部の正面右側視の分解斜視図である。
【図３０】インクカプセル付きの保持部材を取り付けた状態での基板ボックスの要部の正面右側視の分解斜視図である。
【図３１】封印ユニットの内部にインクカプセルを取り付ける様子を示す基板ボックスの要部の断面図である。
【図３２】インクカプセルに保持部材を取り付けた状態での基板ボックスの要部の断面図である。
【図３３】インクカプセル付きの保持部材を取り付けた状態での基板ボックスの要部の断面図である。
【図３４】封印蓋へのインク付着を示す図である。
【図３５】実施例２での保持部材の両延出部を示す断面図である。
【図３６】変形例での保持部材を示す断面図である。
【図３７】変形例での保持部材を示す断面図である。
【図３８】変形例での保持部材などを示す断面図である。
【図３９】変形例での被破壊部を有する封印蓋を示す斜視図である。
【符号の説明】
【０２１３】
３０  …遊技盤
３０ａ…遊技領域
２６１ａ…主制御基板（制御基板）
２６３  …基盤ボックス（基板ユニット）
２６５  …ボックスベース（基板ケース，第１ケース）
２６６  …第１封印部
２６７  …ボックスカバー（基板ケース，第２ケース）
２６８  …第２封印部
２７０  …封印ユニット（封印手段）
２７３  …移動防止ピン（封印部材）
２７５  …封印蓋（封印部材）
２８０  …インクカプセル（液体収容体）
２８５  …保持部材
２８７  …覆い部
２８９  …保持部
２９１  …延出部
【図１】
2008161348.tif 000003
【図２】
2008161348.tif 000004
【図３】
2008161348.tif 000005
【図４】
2008161348.tif 000006
【図５】
2008161348.tif 000007
【図６】
2008161348.tif 000008
【図７】
2008161348.tif 000009
【図８】
2008161348.tif 000010
【図９】
2008161348.tif 000011
【図１０】
2008161348.tif 000012
【図１１】
2008161348.tif 000013
【図１２】
2008161348.tif 000014
【図１３】
2008161348.tif 000015
【図１４】
2008161348.tif 000016
【図１５】
2008161348.tif 000017
【図１６】
2008161348.tif 000018
【図１７】
2008161348.tif 000019
【図１８】
2008161348.tif 000020
【図１９】
2008161348.tif 000021
【図２０】
2008161348.tif 000022
【図２１】
2008161348.tif 000023
【図２２】
2008161348.tif 000024
【図２３】
2008161348.tif 000025
【図２４】
2008161348.tif 000026
【図２５】
2008161348.tif 000027
【図２６】
2008161348.tif 000028
【図２７】
2008161348.tif 000029
【図２８】
2008161348.tif 000030
【図２９】
2008161348.tif 000031
【図３０】
2008161348.tif 000032
【図３１】
2008161348.tif 000033
【図３２】
2008161348.tif 000034
【図３３】
2008161348.tif 000035
【図３４】
2008161348.tif 000036
【図３５】
2008161348.tif 000037
【図３６】
2008161348.tif 000038
【図３７】
2008161348.tif 000039
【図３８】
2008161348.tif 000040
【図３９】
2008161348.tif 000041